(57)【要約】      （修正有）【課題】それぞれ異なる周波数帯域を有する多様な電波信号を干渉することなく合成して出力できる通信コンポーネントを提供する。【解決手段】通信コンポーネントは、複数の入力ポート３と、ハウジング９と、出力ポート５と、出力バー５０とを含み、電波移動経路３５，３６，３７，３８，３９に沿って誘電体共振器４０が列をなして複数個配置される。出力バー５０の側面は、誘電体共振器のうちいずれか一つと対向するように配置され、誘電体共振器のうち出力バーと相対的に近いものはオープンタイプで接続され、誘電体共振器のうち出力バーと相対的に遠いものはショートタイプで接続される。【選択図】図２
2020088833.tif 000002
【特許請求の範囲】
【請求項１】
電波信号の入力を受ける複数の入力ポートと、
前記入力ポートが設置され、前記入力ポートに入力された電波の電波移動経路が形成されるハウジングと、
前記ハウジングに設置され、電波信号を出力する出力ポートと、
前記出力ポートと電気的に接続され、前記複数の電波移動経路の端部まで前記ハウジングの内部に延長され、前記電波移動経路を通過する複数の電波を一つに合成する出力バーとを含み、
前記電波移動経路に沿って誘電体共振器が列をなして複数個配置され、
前記出力バーの側面は前記誘電体共振器のうちいずれか一つと対向するように配置され、
前記誘電体共振器のうち前記出力バーと相対的に近いものはオープンタイプで接続され、前記誘電体共振器のうち前記出力バーと相対的に遠いものはショートタイプで接続されることを特徴とする、通信コンポーネント
【請求項２】
前記出力バーは直線の形状に延びるバーの形状を有し、
前記誘電体共振器のうちオープンタイプで接続されるものは前記出力バーの側面に対向する直六面体状を有することを特徴とする、請求項１に記載の通信コンポーネント。
【請求項３】
前記出力バーは、
前記出力ポート側から前記ハウジングの内部に延びる内側延長部と、
前記内側延長部と一定の角度を有する直六面体の横延長部とを含み、
前記内側延長部の前記出力ポート側の端部には下側に支持部が形成されて前記支持部が前記内側延長部を支持し、
前記内側延長部の出力ポートの反対側の端部は前記横延長部によって前記ハウジングの底面に支持されることを特徴とする、請求項１に記載の通信コンポーネント。
【請求項４】
前記内側延長部は前記ハウジングの底面から一定の間隔で離隔され、前記ハウジングの底面と前記内側延長部との間には前記内側延長部を支持する支持部材が設置されることを特徴とする、請求項３に記載の通信コンポーネント。
【請求項５】
前記横延長部は前記内側延長部に比べて長さは短く高さは高く、前記横延長部に比べて多数の電波移動経路と接続されることを特徴とする、請求項３に記載の通信コンポーネント。
【請求項６】
前記入力ポートを通じて、１．５ＧＨｚのＬＴＥ用電波信号（以下、「第１電波」という。）、１．７ＧＨｚ〜２．１ＧＨｚのＬＴＥ用電波信号（以下、「第２電波」という。）、３．４ＧＨｚ〜３．６ＧＨｚの５Ｇ用電波信号（以下、「第３電波」という。）、３．８ＧＨｚ〜４．２ＧＨｚの５Ｇ用電波信号（以下、「第４電波」という。）、４．５ＧＨｚ〜４．９ＧＨｚの５Ｇ用電波信号（以下、「第５電波」という。）が入力され、
前記電波移動経路は、第１電波が移動する第１電波移動経路、第２電波が移動する第２電波移動経路、第３電波が移動する第３電波移動経路、第４電波が移動する第４電波移動経路、第５電波が移動する第５電波移動経路を含み、
前記第１電波移動経路の末端に設置される第１末端共振器、前記第２電波移動経路の末端に設置される第２末端共振器、前記第３電波移動経路の末端に設置される第３末端共振器、前記第４電波移動経路の末端に設置される第４末端共振器、前記第５電波移動経路の末端に設置される第５末端共振器を含み、
前記第１末端共振器と前記第３末端共振器は、前記出力バーとショートタイプで連結され、前記第２末端共振器、前記第４末端共振器、前記第５末端共振器は前記出力バーとオープンタイプで連結されることを特徴とする、請求項１に記載の通信コンポーネント。
【発明の詳細な説明】
【技術分野】
【０００１】
本発明は通信コンポーネントに関する。より詳細には、互いに異なる周波数を有する多数のＲＦ信号を一つのラインに伝達する通信コンポーネントに関する。
【背景技術】
【０００２】
信号合成用通信コンポーネントは移動通信システムの基地局に使用されることができる。この装置は、互いに異なる周波数を有する複数のＲＦ信号を一つのラインに集めて一つの伝送線路に伝達できるようにする。一つの線路に集まった多様な周波数の信号は屋外のアンテナを通じて外部に伝達される。信号合成用通信コンポーネントを活用した方式は、周波数帯毎に別途の線路およびアンテナを活用する方式よりも経済的で安定的である。
【０００３】
韓国公開特許第２０１６−００３６２５８号（２０１６年４月４日公開）には移動通信システムの多重帯域コンバイナーが開示された。当該先行文献に開示されたように、多重帯域コンバイナーは胴体１００の内部にチャネルフィルタ１１０、１２０、１３０、１４０、１５０、１６０が形成され、これらを通じて互いに異なる多様な周波数帯域の信号がそれぞれ伝達される。これら信号は帯域結合部１７０で合流して外部に出力される。
【０００４】
デジタル移動通信の標準が２Ｇから５Ｇまで次第に進化するにつれて移動通信速度、安定性および低遅延性が向上されてきた。これを後押しするために次第に高い周波数帯域を活用するようになってきた。一般に、４Ｇ  ＬＴＥは８５０ＭＨｚ、２．６ＧＨｚなどを活用し、５Ｇは３．５ＧＨｚ、２８ＧＨｚなどを活用する。現在は４Ｇが主に活用されるものの、移動通信機器に応じて２Ｇ、３Ｇ、５Ｇの標準によるシステムも同時代に活用されるため、一つの基地局システムが多様な周波数の信号を伝達しなければならない。
【０００５】
このように偏差の大きい周波数帯を有する多様な電波を一つに集める場合、電波間に干渉が発生し得る。すなわち、低い周波数の信号に所望しないハーモニック信号（高調波）が伴われ得るが、このハーモニック信号は既存の信号周波数の倍数を有する周波数に複数個が生成され得る。この低周波帯域信号から派生するハーモニック信号が高周波帯域信号と干渉を起こすため、高周波帯域信号が正常に伝送されなくなる虞がある。信号伝達線路が、伝達されるそれぞれの周波数に合うインピーダンスを有さないと所望しないノイズの発生を防止することができない。電波が結合される部位の構造や形状を調整することによって、そのインピーダンスを正確に合わせてチューニングすることができる。
【先行技術文献】
【特許文献】
【０００６】
【特許文献１】韓国公開特許第２０１６−００３６２５８号公報（２０１６．４．４公開）
【発明の概要】
【発明が解決しようとする課題】
【０００７】
本発明の実施例は、それぞれ異なる周波数帯域を有する多様な電波信号を干渉することなく合成して出力できる通信コンポーネントを提供する。
【課題を解決するための手段】
【０００８】
本発明の一側面に係る通信コンポーネントは、電波信号の入力を受ける複数の入力ポートと、前記入力ポートが設置され、前記入力ポートに入力された電波の電波移動経路が形成されるハウジングと、前記ハウジングに設置され、電波信号を出力する出力ポートと、前記出力ポートと電気的に接続され、前記複数の電波移動経路の端部まで前記ハウジングの内部に延長され、前記電波移動経路を通過する複数の電波を一つに合成する出力バーとを含み、前記電波移動経路に沿って誘電体共振器が列をなして複数個配置され、前記出力バーの側面は前記誘電体共振器のうちいずれか一つと対向するように配置され、前記誘電体共振器のうち前記出力バーと相対的に近いものはオープンタイプで接続され、前記誘電体共振器のうち前記出力バーと相対的に遠いものはショートタイプで接続されることを特徴とすることができる。
【０００９】
本発明の一側面に係る通信コンポーネントは、前記出力バーは直線の形状に延びるバーの形状を有し、前記誘電体共振器のうちオープンタイプで接続されるものは前記出力バーの側面に対向する直六面体状を有することを特徴とすることができる。
【００１０】
本発明の一側面に係る通信コンポーネントは、前記出力バーは、前記出力ポート側から前記ハウジングの内部に延びる内側延長部と、前記内側延長部と一定の角度を有する直六面体の横延長部とを含み、前記内側延長部の前記出力ポート側の端部には下側に支持部が形成されて、前記支持部が前記内側延長部を支持し、前記内側延長部の出力ポートの反対側の端部は前記横延長部によって前記ハウジングの底面に支持されることを特徴とすることができる。
【００１１】
本発明の一側面に係る通信コンポーネントは、前記内側延長部は前記ハウジングの底面から一定の間隔で離隔され、前記ハウジングの底面と前記内側延長部との間には前記内側延長部を支持する支持部材が設置されることを特徴とすることができる。
【００１２】
本発明に係る通信コンポーネントは、前記横延長部は前記内側延長部に比べて長さは短く高さは高く、前記横延長部に比べて多数の電波移動経路と接続されることを特徴とすることができる。
【００１３】
本発明の一側面に係る通信コンポーネントは、前記入力ポートを通じて、１．５ＧＨｚのＬＴＥ用電波信号（以下、「第１電波」という。）、１．７ＧＨｚ〜２．１ＧＨｚのＬＴＥ用電波信号（以下、「第２電波」という。）、３．４ＧＨｚ〜３．６ＧＨｚの５Ｇ用電波信号（以下、「第３電波」という。）、３．８ＧＨｚ〜４．２ＧＨｚの５Ｇ用電波信号（以下、「第４電波」という。）、４．５ＧＨｚ〜４．９ＧＨｚの５Ｇ用電波信号（以下、「第５電波」という。）が入力され、前記電波移動経路は、第１電波が移動する第１電波移動経路、第２電波が移動する第２電波移動経路、第３電波が移動する第３電波移動経路、第４電波が移動する第４電波移動経路、第５電波が移動する第５電波移動経路を含み、前記第１電波移動経路の末端に設置される第１末端共振器、前記第２電波移動経路の末端に設置される第２末端共振器、前記第３電波移動経路の末端に設置される第３末端共振器、前記第４電波移動経路の末端に設置される第４末端共振器、前記第５電波移動経路の末端に設置される第５末端共振器を含み、前記第１末端共振器と前記第３末端共振器は前記出力バーとショートタイプで連結され、前記第２末端共振器、前記第４末端共振器、前記第５末端共振器は前記出力バーとオープンタイプで連結されることを特徴とする。
【発明の効果】
【００１４】
本発明によると、出力バーがハウジングの内部の複数の電波移動経路の端部まで延びるため、全体的なハウジングの大きさをコンパクトに小型化することができる。
【００１５】
本発明によると、高い周波数帯域の電波信号と低い周波数帯域の電波信号をノイズなしに合成することによって、周波数帯域が異なる多数の電波信号を同時に伝送することができる。
【図面の簡単な説明】
【００１６】
【図１】本発明の実施例に係る通信コンポーネントを示した斜視図。
【図２】本発明の実施例に係る通信コンポーネントを示した平面図。
【図３】本発明の実施例に係る通信コンポーネントの信号合成部を示した平面図。
【図４】本発明の実施例に係る通信コンポーネントの信号合成部を示した斜視図。
【図５】本発明の実施例に係る通信コンポーネントの出力バーを示した斜視図。
【発明を実施するための形態】
【００１７】
以下、本発明の実施例を添付された図面を参照して説明する。添付された図面は本発明の例示的な形態を図示したものであって、これは本発明をより詳細に説明するために提供されるものに過ぎず、本発明の技術的な範囲はこれによって限定されるものではない。
【００１８】
また、図面符号にかかわらず、同一または対応する構成要素は同じ参照番号を付与し、これに対する重複説明は省略する。説明の便宜のために図示された各構成部材の大きさおよび形状は誇張または縮小され得る。
【００１９】
一方、第１または第２等のように序数を含む用語は、多様な構成要素の説明に使用され得るが、前記構成要素は前記用語によって限定されず、前記用語は一つの構成要素を他の構成要素から区別させる目的でのみ使用される。
【００２０】
図１は本発明の実施例に係る通信コンポーネント１を示した斜視図、図２は本発明の実施例に係る通信コンポーネント１を示した平面図、図３は本発明の実施例に係る通信コンポーネント１の信号合成部３４を示した平面図、図４は本発明の実施例に係る通信コンポーネント１の信号合成部３４を示した斜視図、図５は本発明の実施例に係る通信コンポーネント１の出力バー５０を示した斜視図である。
【００２１】
図１〜図２に図示された通り、本発明の実施例に係る通信コンポーネント１は、平たい直六面体状の本体ハウジング９を含む。ハウジング９の一側面には入力ポート３が形成され、入力ポート３の反対側面には出力ポート５が形成される。入力ポート３と出力ポート５にはケーブル（図示されず）のような伝送線路が接続され得る。入力ポート３は複数個であり、出力ポート５は一つである。入力ポート３を通じてそれぞれ異なる周波数帯域の信号が入力され、これらが一つの信号に合成されて出力ポート５に出力される。
【００２２】
ハウジング９は外部の電波が流入しないように密閉されるように形成され、電波遮蔽材料で構成される。ハウジング９の内部には、電波が進行する電波移動経路３５、３６、３７、３８、３９が形成される。それぞれの入力電波は、別個の電波移動経路３５、３６、３７、３８、３９に沿って進行してから、合成部３４で合成されて出力ポート５を通じてハウジング９の外部に伝達される。それぞれの電波移動経路３５、３６、３７、３８、３９は、互いに遮断されるように形成され、それぞれの信号が割り当てられた移動経路を通じて伝達されるように誘導する。このために、ハウジング９の内部には複数の通路２が形成される。図２および図３は、このような通路２の具体的な形状を示すために、ハウジング９の上面壁の一部を切開して図示したものである。通路２は隔壁７で区画される。
【００２３】
電波移動経路３５、３６、３７、３８、３９を形成するハウジング９の内部通路２には、誘電体共振器４０が設置される。誘電体共振器４０は電波移動経路３５、３６、３７、３８、３９に沿って一定の間隔を有するように配置される。誘電体共振器４０は固有の共振周波数を有する。したがって、各電波移動経路３５、３６、３７、３８、３９に設置される誘電体共振器４０の共振周波数は、その電波移動経路３５、３６、３７、３８、３９を通り過ぎる電波の周波数に対応するように形成される。したがって、高い周波数帯域の信号が移動する電波移動経路３５、３６、３７、３８、３９には、高い共振周波数を有する誘電体共振器４０が列をなして設置され、低い周波数帯域の信号が移動する電波移動経路３５、３６、３７、３８、３９には、低い共振周波数を有する誘電体共振器４０が列をなして設置される。電波が誘電体共振器４０に沿って移動するため、電波移動経路３５、３６、３７、３８、３９を形成する通路２は、電波移動経路３５、３６、３７、３８、３９であると共にバンドパスフィルタとしての機能も遂行することになる。
【００２４】
図２に図示された実施例では入力ポート３を通じて、１．５ＧＨｚのＬＴＥ用電波信号（以下、「第１電波」という。）、１．７ＧＨｚ〜２．１ＧＨｚのＬＴＥ用電波信号（以下、「第２電波」という。）、３．４ＧＨｚ〜３．６ＧＨｚの５Ｇ用電波信号（以下、「第３電波」という。）、３．８ＧＨｚ〜４．２ＧＨｚの５Ｇ用電波信号（以下、「第４電波」という。）、４．５ＧＨｚ〜４．９ＧＨｚの５Ｇ用電波信号（以下、「第５電波」という。）が入力される。入力された第１電波は第１電波移動経路３５に沿って、第２電波は第２電波移動経路３６に沿って、第３電波は第３電波移動経路３７に沿って、第４電波は第４電波移動経路３８に沿って、第５電波は第５電波移動経路３９に沿って合成部３４に伝達される。
【００２５】
合成部３４は、多様な電波信号を一つに集め、この合成された電波を出力ポート５に誘導する。図２〜図３に図示された通り、合成部３４には出力バー５０が設置される。出力バー５０は金属製の導体で形成され、「┐」の形状を有するように折れ曲がった形状を有する。出力バー５０の一側端は出力ポート５と物理的かつ電気的に連結され、他側端はハウジング９の内部に延長される。
【００２６】
出力バー５０の側面は、第１電波移動経路３５、第２電波移動経路３６、第３電波移動経路３７、第４電波移動経路３８、第５電波移動経路３９の末端部に位置する。出力バー５０の側面、すなわち、第１電波移動経路３５、第２電波移動経路３６、第３電波移動経路３７、第４電波移動経路３８、第５電波移動経路３９の末端部には、第１末端共振器４１、第２末端共振器４２、第３末端共振器４３、第４末端共振器４４、第５末端共振器４５が設置される。
【００２７】
図３〜図５を参照すると、出力バー５０は出力ポート５から内側に、出力ポート５と一直線の形状に延びる内側延長部５１と内側延長部５１の終端で垂直方向に折れ曲がって延びる横延長部５９を有する。
【００２８】
内側延長部５１の一側面が第４末端共振器４４および第５末端共振器４５と対向するように隣接して配置され、横延長部５９の一側面が第２末端共振器４２と対向するように隣接して配置される。このために、電波移動経路３５、３６、３７、３８、３９は出力バー５０が設置される合成部３４を眺めるように折れ曲がった形状を有することができる。
【００２９】
このように、出力バー５０が出力ポート５から電波移動経路３５、３６、３７、３８、３９の末端部までハウジング９の内部に深く入っており、電波移動経路３５、３６、３７、３８、３９は出力バー５０が設置される合成部３４に向かって集まるため、合成部３４の体積を減らすことができるようになる。すなわち、合成部３４を形成するために、ハウジング９内に一定の空間を別途に配分し、その空間を信号の合成にのみ専用に活用する方式とは異なり、本実施例では電波移動経路３５、３６、３７、３８、３９と合成部３４が密着するようになるため、ハウジング９の全体の大きさをコンパクトにできる。
【００３０】
図３〜図５を参照すると、第１末端共振器４１と横延長部５９は第１導体７１を通じて連結され、第３末端共振器４３と横延長部５９は第２導体７２を通じて連結される。このように金属導体を媒介として電波を伝達させる接続方式をショートタイプ（ｓｈｏｒｔ  ｔｙｐｅ）方式という。
【００３１】
その反面、第２末端共振器４２、第４末端共振器４４、第５末端共振器４５は出力バー５０と導体で直接接続されずに離隔している。このように、金属導体ではなく空気を媒介として電波が伝達される接続方式をオープンタイプ（ｏｐｅｎ  ｔｙｐｅ）方式という。
【００３２】
電波の周波数が低い信号は、電波伝送路の全インピーダンス成分のうちインダクタンス成分が高いと通過し易く、キャパシタンス成分が高いと通過し難い、それとは反対に、高い周波数の信号はインダクタンス成分が高いと通過し難く、キャパシタンス成分が高いと通過し易い。したがって、相対的に高い周波数の信号はオープンタイプで接続し、相対的に低い周波数の信号はショートタイプで接続する方が有利である。
【００３３】
ハウジング９内の限定された空間、すなわち合成部３４内に５種類の信号を一つの出力バー５０に合成しなければならないため、すべての信号をオープンタイプで連結するには空間が足りない可能性がある。オープンタイプの場合、末端共振器を出力バー５０に対向するように密着させなければならないためである。したがって、一部の信号は、空間の制約により、ショートタイプで接続しなければならない場合もある。図４に図示された通り、出力バー５０とショートタイプで接続される第１末端共振器４１と第３末端共振器４３は、導体７１、７２を通じて連結される。導体７１、７２の長さが相対的に長くても信号伝達にはさほど影響を与えないため、第１末端共振器４１と第３末端共振器４３は出力バー５０から比較的遠距離に配置され得る。したがって、多種の信号を合成する時に空間上の制約を克服することができる。
【００３４】
また、オープンタイプで接続される末端共振器４２、４４、４５は、出力バー５０と対向できるように直六面体状に構成する。出力バー５０が直線形に形成され、この出力バー５０と対向面積を広げて電波を円滑に移動させるためである。しかし、ショートタイプで接続される末端共振器４１、４３は、他の一般的な誘電体共振器４０と同様に円筒形または円盤型で構成することができる。したがって、オープンタイプ接続末端共振器４２、４４、４５と比べて設計上の制約が少ない。
【００３５】
本実施例に係る通信コンポーネント１の出力バー５０は、このようにオープンタイプとショートタイプ接続構造を提供するプラットフォームとして機能することができる。出力バー５０が出力ポート５からハウジング９の内部に深く浸透して電波移動経路３５、３６、３７、３８、３９の終端まで延長され、また、オープンタイプとショートタイプの接続構造を容易に構築できるようになる。したがって、広い偏差の周波数帯域を有する信号をノイズなしに一つに集めて出力できるようになる。特に５Ｇ標準による高周波信号を既存の３Ｇや４Ｇ標準による信号らと同時に伝送する必要が高い状況で有用に活用され得る。
【００３６】
図４および図５を参照すると、出力バー５０の出力ポート５側の端部の下側には支持部５２が形成される。支持部５２はハウジング９の底面に設置される。出力バー５０は、内側延長部５１がハウジング９の底面から一定の間隔を有して浮いている構造を有する。内側延長部５１の一側は支持部５２を通じてハウジング９の底面によって支持され、他側は横延長部５９を通じて支持される。横延長部５９もハウジング９の底面に設置されるためである。ハウジング９の底面から浮いている内側延長部５１の下部には支持部材８が設置される。支持部材８はテフロン（登録商標）素材を採用することができる。
【００３７】
横延長部５９は内側延長部５１と比べ、長さは短いが高さは高い。横延長部５９に第１末端共振器４１、第２末端共振器４２、第３末端共振器４３が接続するため、多数の接続構造を形成するために十分な面積を有さなければならない。しかし、横延長部５９を過度に長くできない空間上の制約があるため、高さが高くなるように構成した。内側延長部５１の横延長部５９側の端部の上側には凹部５６が形成される。凹部５６は第４末端共振器４４、第５末端共振器４５とオープンタイプで接続する部位ではないため、末端共振器４４、４５らと対向しなくてもよい。したがって、あえて断面積を広くする必要のない部位の断面積を狭くすることによって凹部５６が形成される。
【００３８】
出力バー５０の形状と材質が、各信号に合うインピーダンスを正確に合わせることができるように設計され、最終の設置段階においても微細チューニングが行われ得る。微細チューニングは、すでに設置した出力バー５０の形状を微細に変形するか、片隅の一部を削り取るか切って除去する方式で行われ得る。
【００３９】
以上、本発明の実施例について説明したが、該当技術分野で通常の知識を有する者であれば特許請求の範囲に記載された本発明の思想から逸脱しない範囲内で、構成要素の付加、変更、削除または追加などによって、本発明を多様に修正および変更させることができ、これも本発明の権利範囲内に含まれるものと解釈されるべきである。
【符号の説明】
【００４０】
９：ハウジング
３５：第１電波移動経路
３６：第２電波移動経路
３７：第３電波移動経路
３８：第４電波移動経路
３９：第５電波移動経路
４０：誘電体共振器
３４：合成部
４１：第１末端共振器
４２：第２末端共振器
４３：第３末端共振器
４４：第４末端共振器
４５：第５末端共振器
５０：出力バー
５１：内側延長部
５９：横延長部
【図１】
2020088833.tif 000003
【図２】
2020088833.tif 000004
【図３】
2020088833.tif 000005
【図４】
2020088833.tif 000006
【図５】
2020088833.tif 000007
【手続補正書】
【提出日】令和2年1月22日(2020.1.22)
【手続補正１】
【補正対象書類名】特許請求の範囲
【補正対象項目名】全文
【補正方法】変更
【補正の内容】
【特許請求の範囲】
【請求項１】
電波信号の入力を受ける複数の入力ポートと、
前記入力ポートが設置され、前記入力ポートに入力された電波の電波移動経路が形成されるハウジングと、
前記ハウジングに設置され、電波信号を出力する出力ポートと、
前記出力ポートと電気的に接続され、複数の前記電波移動経路の端部まで前記ハウジングの内部に延長され、前記電波移動経路を通過する複数の電波を一つに合成する出力バーとを含み、
前記電波移動経路に沿って共振器が列をなして複数個配置され、
前記入力ポートを通じて、１．５ＧＨｚのＬＴＥ用電波信号（以下、「第１電波」という。）、１．７ＧＨｚ〜２．１ＧＨｚのＬＴＥ用電波信号（以下、「第２電波」という。）、３．４ＧＨｚ〜３．６ＧＨｚの５Ｇ用電波信号（以下、「第３電波」という。）、３．８ＧＨｚ〜４．２ＧＨｚの５Ｇ用電波信号（以下、「第４電波」という。）、４．５ＧＨｚ〜４．９ＧＨｚの５Ｇ用電波信号（以下、「第５電波」という。）が入力され、
前記電波移動経路は、前記第１電波が移動する第１電波移動経路、前記第２電波が移動する第２電波移動経路、前記第３電波が移動する第３電波移動経路、前記第４電波が移動する第４電波移動経路、前記第５電波が移動する第５電波移動経路を含み、
前記共振器は、前記第１電波移動経路の末端に設置される第１末端共振器、前記第２電波移動経路の末端に設置される第２末端共振器、前記第３電波移動経路の末端に設置される第３末端共振器、前記第４電波移動経路の末端に設置される第４末端共振器、前記第５電波移動経路の末端に設置される第５末端共振器を含み、
前記出力バーは、直線の形状に延びるバーの形状を有し、前記出力バーの側面は前記第１末端共振器、前記第２末端共振器、前記第３末端共振器、前記第４末端共振器、前記第５末端共振器と隣接するように配置され、前記出力ポート側から前記ハウジングの内部に延びる内側延長部と前記内側延長部と一定の角度を有する直六面体の横延長部とを含み、前記横延長部は前記内側延長部と比べて長さは短く高さは高く、
前記第１電波乃至第５電波のうちパーセント帯域幅（Ｎｏｒｍａｌ  Ｂａｎｄ  Ｗｉｄｔｈ）が４〜５％と相対的に狭い第１電波が通過する前記第１末端共振器と第３電波が通過する前記第３末端共振器は、前記出力バーとショートタイプで接続され、
パーセント帯域幅（Ｎｏｒｍａｌ  Ｂａｎｄ  Ｗｉｄｔｈ）が８〜２０％と相対的に広い第２電波が通過する前記第２末端共振器、 第４電波が通過する前記第４末端共振器、 第５電波が通過する前記第５末端共振器は、前記出力バーとオープンタイプで接続され、
前記出力バーとショートタイプで接続される前記第１末端共振器と第３末端共振器は、オープンタイプで接続される前記第２末端共振器、第４末端共振器、 第５末端共振器より前記出力バーから相対的に遠い位置に設置され、
前記出力バーとオープンタイプで接続される前記第２末端共振器、前記第４末端共振器、前記第５末端共振器は、前記出力バーの側面に対向する直六面体状を有し、
このうちパーセント帯域幅が最も広い第２電波が通過する前記第２末端共振器は、前記横延長部の側面と対向するように設置され、
前記第４末端共振器、 前記第５末端共振器は、前記内側延長部の側面と対向するように設置される、
通信コンポーネント。